【手続補正書】
【提出日】平成25年8月12日(2013.8.12)
【手続補正１】
【補正対象書類名】特許請求の範囲
【補正対象項目名】全文
【補正方法】変更
【補正の内容】
【特許請求の範囲】
【請求項１】
コンクリート補強棒を接合する連結器または接続器であって、
該連結器または接続器は、
細長いロッド部材であって、該細長いロッド部材は、該細長いロッド部材を通して形成された１つ以上の横穴を有する、細長いロッド部材と、
該細長いロッド部材を受け取るように適合された管状のスリーブ部材であって、該管状のスリーブ部材は、その外壁を通して形成された１つ以上の対の軸方向に整列された開口を有する、管状のスリーブ部材と
を含み、
該ロッド部材が該スリーブ部材内に挿入される場合に、該１つ以上の横穴の各々は、該開口のそれぞれの対と軸方向に整列され、それによって、該ロッド部材をスリーブ部材に固定するために、該連結器または接続器の幅を横切るように適合されているピンを受け取り、
使用において、および、挿入された位置にある場合に、該ロッドおよびスリーブ部材は、接続される該棒の自由な端部に取り付けられる、棒を接合する連結器または接続器。
【請求項２】
前記ロッドおよびスリーブ部材が一緒に接続される場合に、前記ピンは、透明な管のクリップ留めデバイスによって、ロックされた位置内に押し込まれる、請求項１に記載の棒を接合する連結器または接続器。
【請求項３】
プラスチックスリーブをさらに含み、該プラスチックスリーブは、ロックされた位置内に前記ピンを押し込むように、前記スリーブ部材を受け取るように構成されている、請求項１に記載の棒を接合する連結器または接続器。
【請求項４】
前記ピンは、該ピンが駆動される前記穴の一部を把持するふし部分を有し得る、請求項１に記載の棒を接合する連結器または接続器。
【請求項５】
前記スリーブ部材は、周囲コンクリートへの該スリーブ部材の付着を改善するように、複数の外部の隆起部またはへこみを含む、請求項１に記載の棒を接合する連結器または接続器。
【手続補正２】
【補正対象書類名】明細書
【補正対象項目名】００２９
【補正方法】変更
【補正の内容】
【００２９】
好ましい型において、ロッドおよびスリーブ部材は、鉄筋の外面に一致する隆起部またはへこみを有することによって外部から構成または模様がつけられている。ロッドおよびスリーブ部材へ鉄筋が取り付けおよび接合され、隆起部またはへこみは、周囲コンクリートへの付着を改善することに関する。
本願明細書は、例えば、以下の項目も提供する。
（項目１）
棒を接合する連結器または接続器であって、
該連結器または接続器は、
管状のスリーブ部材の中に挿入されるように適合されている細長いロッド部材であって、該ロッドおよびスリーブ部材は、各々、該ロッド部材が該スリーブ部材の中に挿入された場合に、整列する１つ以上の横穴を有する、細長いロッド部材と、
該１つ以上の整列された穴を通過するように適合されている１つ以上の横ピンと
を含み、
使用において、該ロッドおよびスリーブ部材は、接続された該棒の自由な端部に取り付けられ、挿入された位置にある場合に、該横ピンは、該整列された穴の中に駆動されることが可能であることによって、該ロッドおよびスリーブ部材を一緒にロックし、それによって、該棒を接続する、棒を接合する連結器または接続器。
（項目２）
棒を接合する連結器または接続器であって、
該連結器または接続器は、
１対の対向する管状のスリーブ部材の中に挿入されるように適合されている細長いロッド部材であって、該ロッドおよびスリーブ部材は、各々、該ロッド部材が該スリーブ部材の中に挿入された場合に、整列する１つ以上の横穴を有している、細長いロッド部材と、
該１つ以上の整列された穴を通過するように適合されている１つ以上の横ピンと
を含み、
使用において、該対向するスリーブ部材は、接続された該棒の自由な端部に取り付けられ、該ロッド部材が挿入された位置にある場合に、該横ピンは、該整列された穴の中に駆動されることが可能であることによって、該ロッドおよびスリーブ部材を一緒にロックし、それによって、該棒を接続する、棒を接合する連結器または接続器。
（項目３）
棒を接合する連結器または接続器であって、
該連結器または接続器は、
１対の対向する細長いロッド部材を受け入れる能力を有するように適合されている管状のスリーブ部材であって、該ロッドおよびスリーブ部材は、各々、該ロッド部材が該スリーブ部材の中に挿入された場合に、整列する１つ以上の横穴を有している、管状のスリーブ部材と、
該１つ以上の整列された穴を通過するように適合されている１つ以上の横ピンと
を含み、
使用において、該対向するロッド部材は、接続された該棒の自由な端部に取り付けられ、該ロッド部材が挿入された位置にある場合に、該横ピンは、該整列された穴の中に駆動されることが可能であることによって、該ロッドおよびスリーブ部材を一緒にロックし、それによって、該棒を接続する、棒を接合する連結器または接続器。
（項目４）
前記ピンは、スクリュー、ボルトまたはいずれか他のファスナーによって置き換えられる、項目１に記載の棒を接合する連結器または接続器。
（項目５）
前記ピンは、スクリュー、ボルトまたはいずれか他のファスナーによって置き換えられる、項目２に記載の棒を接合する連結器または接続器。
（項目６）
前記ピンは、スクリュー、ボルトまたはいずれか他のファスナーによって置き換えられる、項目３に記載の棒を接合する連結器または接続器。
（項目７）
前記ピンは、ばね負荷されている、項目１に記載の棒を接合する連結器または接続器。
（項目８）
前記ピンは、ばね負荷されている、項目２に記載の棒を接合する連結器または接続器。
（項目９）
前記ピンは、ばね負荷されている、項目３に記載の棒を接合する連結器または接続器。
（項目１０）
棒への前記ロッドおよびスリーブ部材の取り付けは、摩擦溶接による、項目１に記載の棒を接合する連結器または接続器。
（項目１１）
棒への前記ロッドおよびスリーブ部材の取り付けは、摩擦溶接による、項目２に記載の棒を接合する連結器または接続器。
（項目１２）
棒への前記ロッドおよびスリーブ部材の取り付けは、摩擦溶接による、項目３に記載の棒を接合する連結器または接続器。
（項目１３）
前記ロッドおよびスリーブ部材は、前記棒にアーク溶接、ガス溶接またはねじ留め手段によって取り付けられる、項目１に記載の棒を接合する連結器または接続器。
（項目１４）
前記ロッドおよびスリーブ部材は、前記棒にアーク溶接、ガス溶接またはねじ留め手段によって取り付けられる、項目２に記載の棒を接合する連結器または接続器。
（項目１５）
前記ロッドおよびスリーブ部材は、前記棒にアーク溶接、ガス溶接またはねじ留め手段によって取り付けられる、項目３に記載の棒を接合する連結器または接続器。
（項目１６）
取り囲むコンクリートの打設および振動を含む建設段階中に前記ピンを押さえ込む透明な管のクリップ留めデバイスがあり、それによって、調査官が、該ピンが適所にあることおよび前記接合が正しく組み立てられていることを確認することを可能にする、項目１に記載の棒を接合する連結器または接続器。
（項目１７）
取り囲むコンクリートの打設および振動を含む建設段階中に前記ピンを押さえ込む透明な管のクリップ留めデバイスがあり、それによって、調査官が、該ピンが適所にあることおよび前記接合が正しく組み立てられていることを確認することを可能にする、項目２に記載の棒を接合する連結器または接続器。
（項目１８）
取り囲むコンクリートの打設および振動を含む建設段階中に前記ピンを押さえ込む透明な管のクリップ留めデバイスがあり、それによって、調査官が、該ピンが適所にあることおよび前記接合が正しく組み立てられていることを確認することを可能にする、項目３に記載の棒を接合する連結器または接続器。
（項目１９）
前記ピンを押さえ込むための前記単数または複数のロッド部材に関連付けられたプラスチックスリーブがあり、該プラスチックスリーブは、該単数または複数のロッド部材が該単数または複数のスリーブ部材の中に挿入された場合に取り換えられ、それによって、該単数または複数のスリーブ部材の穴との係合のために前記ピンを解放する、項目１に記載の棒を接合する連結器または接続器。
（項目２０）
前記ピンを押さえ込むための前記単数または複数のロッド部材に関連付けられたプラスチックスリーブがあり、該プラスチックスリーブは、該単数または複数のロッド部材が該単数または複数のスリーブ部材の中に挿入された場合に取り換えられ、それによって、該単数または複数のスリーブ部材の穴との係合のために前記ピンを解放する、項目２に記載の棒を接合する連結器または接続器。
（項目２１）
前記ピンを押さえ込むための前記単数または複数のロッド部材に関連付けられたプラスチックスリーブがあり、該プラスチックスリーブは、該単数または複数のロッド部材が該単数または複数のスリーブ部材の中に挿入された場合に取り換えられ、それによって、該単数または複数のスリーブ部材の穴との係合のために前記ピンを解放する、項目３に記載の棒を接合する連結器または接続器。
（項目２２）
整列可能な穴の数および横ピンの数は、前記接合された棒によって伝えられるように指定された張力負荷に依存する、項目１に記載の棒を接合する連結器または接続器。
（項目２３）
整列可能な穴の数および横ピンの数は、前記接合された棒によって伝えられるように指定された張力負荷に依存する、項目２に記載の棒を接合する連結器または接続器。
（項目２４）
整列可能な穴の数および横ピンの数は、前記接合された棒によって伝えられるように指定された張力負荷に依存する、項目３に記載の棒を接合する連結器または接続器。
（項目２５）
前記ロッドおよびスリーブ部材の寸法は、前記接合された棒によって送えられる指定された負荷に依存する、項目１に記載の連結器または接続器。
（項目２６）
前記ロッドおよびスリーブ部材の寸法は、前記接合された棒によって送えられる指定された負荷に依存する、項目２に記載の連結器または接続器。
（項目２７）
前記ロッドおよびスリーブ部材の寸法は、前記接合された棒によって送えられる指定された負荷に依存する、項目３に記載の連結器または接続器。
（項目２８）
前記ピンおよび整列可能な穴の寸法は、該ピンによって耐えられるために要求されるせん断負荷によって決定される、項目１に記載の棒を接合する連結器または接続器。
（項目２９）
前記ピンおよび整列可能な穴の寸法は、該ピンによって耐えられるために要求されるせん断負荷によって決定される、項目２に記載の棒を接合する連結器または接続器。
（項目３０）
前記ピンおよび整列可能な穴の寸法は、該ピンによって耐えられるために要求されるせん断負荷によって決定される、項目３に記載の棒を接合する連結器または接続器。
（項目３１）
前記ピンは、前記穴との締まりばめを有する、項目１に記載の棒を接合する連結器または接続器。
（項目３２）
前記ピンは、前記穴との締まりばめを有する、項目２に記載の棒を接合する連結器または接続器。
（項目３３）
前記ピンは、前記穴との締まりばめを有する、項目３に記載の棒を接合する連結器または接続器。
（項目３４）
前記ピンは、該ピンが駆動される前記穴の一部を把持するふし部分を有し得る、項目１に記載の棒を接合する連結器または接続器。
（項目３５）
前記ピンは、該ピンが駆動される前記穴の一部を把持するふし部分を有し得る、項目２に記載の棒を接合する連結器または接続器。
（項目３６）
前記ピンは、該ピンが駆動される前記穴の一部を把持するふし部分を有し得る、項目３に記載の棒を接合する連結器または接続器。
（項目３７）
前記ピンは、先細にされることによって、向上した締まりばめを提供する、項目１に記載の棒を接合する連結器または接続器。
（項目３８）
前記ピンは、先細にされることによって、向上した締まりばめを提供する、項目２に記載の棒を接合する連結器または接続器。
（項目３９）
前記ピンは、先細にされることによって、向上した締まりばめを提供する、項目３に記載の棒を接合する連結器または接続器。
（項目４０）
前記ロッドおよびスリーブ部材は、ロッドおよびシリンダー構成の部材である、項目１に記載の棒を接合する連結器または接続器。
（項目４１）
前記ロッドおよびスリーブ部材は、ロッドおよびシリンダー構成の部材である、項目２に記載の棒を接合する連結器または接続器。
（項目４２）
前記ロッドおよびスリーブ部材は、ロッドおよびシリンダー構成の部材である、項目３に記載の棒を接合する連結器または接続器。
（項目４３）
前記ロッドおよびスリーブ部材は、正方形構成または長方形構成または楕円形構成の部材である、項目１に記載の棒を接合する連結器または接続器。
（項目４４）
前記ロッドおよびスリーブ部材は、正方形構成または長方形構成または楕円形構成の部材である、項目２に記載の棒を接合する連結器または接続器。
（項目４５）
前記ロッドおよびスリーブ部材は、正方形構成または長方形構成または楕円形構成の部材である、項目３に記載の棒を接合する連結器または接続器。
（項目４６）
前記ロッドおよびスリーブ部材は、周囲コンクリートを把持するための隆起部またはへこみを有することによって外部から構成または模様がつけられている、項目１に記載の棒を接合する連結器または接続器。
（項目４７）
前記ロッドおよびスリーブ部材は、周囲コンクリートを把持するための隆起部またはへこみを有することによって外部から構成または模様がつけられている、項目２に記載の棒を接合する連結器または接続器。
（項目４８）
前記ロッドおよびスリーブ部材は、周囲コンクリートを把持するための隆起部またはへこみを有することによって外部から構成または模様がつけられている、項目３に記載の棒を接合する連結器または接続器。